(57)【要約】【課題】接触による損傷を防止しつつ簡単な構成で高い洗浄効果を得ることができる洗浄ノズルを提供する。【解決手段】空気を吐出することで対象物に付着した粉塵を除去するための洗浄ノズルであって、長手方向一端部から内部に空気が導入されるケーシングと、ケーシング内に収容され、ケーシングに対して長手方向に沿った軸線回りに回転可能に構成された回転部と、ケーシング内に収容され、回転部を回転させるための回転駆動部と、を備え、回転部は、中空部と、軸線方向一端部から中空部内に空気を導入する導入口と、軸線に直交する方向に形成され、中空部内の空気を排出する少なくとも１つの第１貫通孔と、を備え、ケーシングは、軸線方向に関して少なくとも１つの第１貫通孔の位置に対応する位置に形成された複数の第２貫通孔を備えている。【選択図】図１
2020199482.tif 000002
【特許請求の範囲】
【請求項１】
空気を吐出することで対象物に付着した粉塵を除去するための洗浄ノズルであって、
長手方向一端部から内部に空気が導入されるケーシングと、
前記ケーシング内に収容され、前記ケーシングに対して長手方向に沿った軸線回りに回転可能に構成された回転部と、
前記ケーシング内に収容され、前記回転部を回転させるための回転駆動部と、を備え、
前記回転部は、
中空部と、
前記軸線方向一端部から前記中空部内に空気を導入する導入口と、
前記軸線に直交する方向に形成され、前記中空部内の空気を排出する少なくとも１つの第１貫通孔と、を備え、
前記ケーシングは、前記軸線方向に関して前記少なくとも１つの第１貫通孔の位置に対応する位置に形成された複数の第２貫通孔を備えた、洗浄ノズル。
【請求項２】
前記回転駆動部は、
前記軸線に沿って設けられた回転軸と、
前記回転軸に相対回転不能に取り付けられた羽根車と、を備え、
前記羽根車は、前記ケーシングの前記軸線方向一端部から内部に導入された空気によって前記軸線回りに回転可能に構成されている、請求項１に記載の洗浄ノズル。
【請求項３】
前記回転駆動部は、前記回転軸の回転を前記回転部に伝達する減速機を備えた、請求項２に記載の洗浄ノズル。
【請求項４】
前記回転部は、径方向中央部において前記回転駆動部と接続される接続部を備え、
前記導入口は、径方向に関して前記接続部と前記回転部の側面との間に設けられる、請求項１から３の何れかに記載の洗浄ノズル。
【請求項５】
前記第１貫通孔の数は、前記第２貫通孔の数より少ない、請求項１から４の何れかに記載の洗浄ノズル。
【請求項６】
前記少なくとも１つの第１貫通孔の大きさは、前記複数の第２貫通孔の大きさより大きい、請求項１から５の何れかに記載の洗浄ノズル。
【請求項７】
前記対象物は、バグフィルタに配設された円筒状の濾布であり、
前記濾布の内部に挿通され、空気を吐出することで前記濾布の外側に付着した粉塵を除去する、請求項１から６の何れかに記載の洗浄ノズル。
【発明の詳細な説明】
【技術分野】
【０００１】
本発明は、洗浄ノズルに関する。
【背景技術】
【０００２】
濾過式集塵装置であるバグフィルタは、多数の筒状の濾布を備え、焼却施設における排ガス等の処理対象のガスを、濾布を用いて濾過することにより、集塵する。この際、煤塵等の粉塵は、濾布の外表面に付着する。
【０００３】
濾布に付着した粉塵を払い落とすために、バグフィルタには、定期的に空気の流れを逆流させる払い落とし機構が備えられている。しかし、バグフィルタにおいては、このような払い落とし機構による定期的な粉塵の払い落としを行っていても、時間の経過とともに濾布に残留する粉塵の量が増加し、濾過性能が低下する傾向にある。また、空気の流れを逆流させるだけでは、濾布において空気の導入部から近い箇所（上部）より遠い箇所（下部）に行くにしたがって払い落とし効果が低下してしまう。このため、払い落とし機構による洗浄だけでは、濾布全体をむらなく洗浄することはできない。そのため、バグフィルタのケーシング内に作業員が入って洗浄作業を行う必要が生じるが、狭所かつ粉塵雰囲気中での作業となるため、極力そのような洗浄作業の回数は減らしたいという要請がある。
【０００４】
このような濾布をむらなく洗浄するために、先端に圧縮空気を吐出する洗浄ノズルを備えたエアホースを筒状の濾布内に送り込み、濾布の任意の箇所において洗浄ノズルから圧縮空気を吐出することにより、濾布の局所的な洗浄を可能とする構成が提案されている（下記特許文献１〜４参照）。
【先行技術文献】
【特許文献】
【０００５】
【特許文献１】特開２００１−２５９５５７号公報
【特許文献２】特開２００６−７０４号公報
【特許文献３】特開２００９−１５４１４０号公報
【特許文献４】特開２００５−１２５２９３号公報
【発明の概要】
【発明が解決しようとする課題】
【０００６】
上記特許文献１〜４には、ホースを介して導入された空気を側方に向けて吐出する際に、洗浄ノズルの空気の吐出口（および吐出口を含む構造全体）を軸線回りに回転させる構成が開示されている。
【０００７】
特許文献１〜４の構成によれば、洗浄ノズルの吐出口の位置が周方向に変化するため、吐出口に対応する位置における濾布の周方向全域をまんべんなく洗浄することができる。しかし、このような構成では、洗浄ノズルから吐出された空気は濾布に周方向に沿って連続的に吹き付けられることになるため、洗浄効果（塵の払い落とし効果）が十分ではない場合がある。
【０００８】
また、上記特許文献１〜４の構成によれば、洗浄ノズルの外表面の一部が回転するため、洗浄ノズルの回転部分がバグフィルタまたはバグフィルタを支持する支柱に接触することにより、バグフィルタが損傷する等の問題が生じ得る。
【０００９】
このような問題は、バグフィルタの濾布の洗浄だけでなく、粉塵等が付着し得る洗浄対象物に広く存在する。
【００１０】
そこで、本発明は、接触による損傷を防止しつつ簡単な構成で高い洗浄効果を得ることができる洗浄ノズルを提供することを目的とする。
【課題を解決するための手段】
【００１１】
前記課題を解決するために、本発明の一態様に係る洗浄ノズルは、空気を吐出することで対象物に付着した粉塵を除去するための洗浄ノズルであって、長手方向一端部から内部に空気が導入されるケーシングと、前記ケーシング内に収容され、前記ケーシングに対して長手方向に沿った軸線回りに回転可能に構成された回転部と、前記ケーシング内に収容され、前記回転部を回転させるための回転駆動部と、を備え、前記回転部は、中空部と、前記軸線方向一端部から前記中空部内に空気を導入する導入口と、前記軸線に直交する方向に形成され、前記中空部内の空気を排出する少なくとも１つの第１貫通孔と、を備え、前記ケーシングは、前記軸線方向に関して前記少なくとも１つの第１貫通孔の位置に対応する位置に形成された複数の第２貫通孔を備えている。
【００１２】
上記構成によれば、ケーシング内に収容された回転部がケーシングに対して軸線回りに回転することにより、回転部の第１貫通孔とケーシングの第２貫通孔とが連通する位置に位置する状態と、第１貫通孔と第２貫通孔とが連通しない位置に位置する状態とが交互に生じる。第１貫通孔と第２貫通孔とが連通することにより、ケーシングの長手方向一端部からケーシングの内部に導入された空気が外部に吐出され、第１貫通孔と第２貫通孔とが連通しない位置に位置することにより、ケーシングの内部に導入された空気が外部に吐出されることが抑制される。
【００１３】
したがって、ケーシングの内部に導入された空気が外部に吐出される際に、吐出される空気の強さが脈動する。この際、ケーシングの内部に導入される空気自体が予め脈動している必要はなく、第１貫通孔と第２貫通孔との相対位置の変化により吐出される空気に脈動が生じる。このため、空気の脈動を生じさせるために、ケーシングに空気を導入する際に特殊なポンプを使用する必要もない。このような吐出される空気の脈動により対象物に付着した粉塵を効果的に吹き飛ばすことができる。
【００１４】
また、上記構成によれば、回転部がケーシングの内部に収容され、ケーシング自体は回転しない。このため、洗浄ノズルと対象物または対象物を支持する支持枠とが接触しても対象物が損傷することを防止することができる。以上より、上記構成によれば、対象物の損傷を防止しつつ簡単な構成で高い洗浄効果を得ることができる。
【００１５】
前記回転駆動部は、前記軸線に沿って設けられた回転軸と、前記回転軸に相対回転不能に取り付けられた羽根車と、を備え、前記羽根車は、前記ケーシングの前記軸線方向一端部から内部に導入された空気によって前記軸線回りに回転可能に構成されていてもよい。これによれば、ケーシングの内部に導入された空気により、羽根車が回転し、これに伴って回転軸が回転する。回転軸の回転により、回転部が回転する。したがって、別途駆動源を用意することなく、吐出用の空気を用いて回転部の駆動力を生じさせることができる。
【００１６】
前記回転駆動部は、前記回転軸の回転を前記回転部に伝達する減速機を備えてもよい。これにより、ケーシングの内部に空気を導入するためのコンプレッサとして、コンプレッサ圧が様々に異なる既存のコンプレッサを用いた場合でも、減速比を調整することにより、回転部の回転速度が調整され、吐出される空気において所望の脈動周波数を容易に得ることができる。
【００１７】
前記回転部は、径方向中央部において前記回転駆動部と接続される接続部を備え、前記導入口は、径方向に関して前記接続部と前記回転部の側面との間に設けられてもよい。これにより、ケーシング内部に導入された空気を効率よく回転部における中空部に導入することができる。
【００１８】
前記第１貫通孔の数は、前記第２貫通孔の数より少なくてもよい。第１貫通孔の数を減らすことにより、ケーシング内および回転部の中空部に導入された空気の圧力の減少を抑制しつつ、第２貫通孔の数を増やすことにより、洗浄ノズルが濾布等の管状の対象物内に挿通された場合に、吐出された空気が対象物に当たり得る単位時間当たりの面積を増やすことができる。
【００１９】
前記少なくとも１つの第１貫通孔の大きさは、前記複数の第２貫通孔の大きさより大きくてもよい。これにより、吐出される空気の噴射効率を高くすることができる。
【００２０】
前記対象物は、バグフィルタに配設された円筒状の濾布であり、前記洗浄ノズルは、前記濾布の内部に挿通され、空気を吐出することで前記濾布の外側に付着した粉塵を除去してもよい。
【発明の効果】
【００２１】
本発明によれば、接触による損傷を防止しつつ簡単な構成で高い洗浄効果を得ることができる。
【図面の簡単な説明】
【００２２】
【図１】図１は、図１は、本発明の一実施の形態に係る洗浄ノズルの概略構成を示す側面図である。
【図２】図２は、図１に示す洗浄ノズルの分解側面図である。
【図３】図３は、図１に示す洗浄ノズルの分解斜視図である。
【図４】図４は、図１に示す洗浄ノズルにおいて第１貫通孔と第２貫通孔との相対位置変化を示す図である。
【図５】図５は、図１に示す洗浄ノズルにおいて第１貫通孔と第２貫通孔との相対位置変化を示す図である。
【図６】図６は、本実施の形態における洗浄ノズルが適用されるバグフィルタの例を示す図である。
【発明を実施するための形態】
【００２３】
以下、本発明の一実施の形態に係る洗浄ノズルについて説明する。図１は、本発明の一実施の形態に係る洗浄ノズルの概略構成を示す側面図である。また、図２は、図１に示す洗浄ノズルの分解側面図であり、図３は、図１に示す洗浄ノズルの分解斜視図である。洗浄ノズル１は、後述するバグフィルタに配設される円筒状の濾布Ｃの内部に挿通し、空気を吐出することで濾布Ｃ内部の粉塵を除去するためにエアホース２の先端に取り付けられるものである。
【００２４】
洗浄ノズル１は、長手方向一端部（図１における上端部）から内部に圧縮空気（以下、単に空気と称する）が導入されるケーシング３を備えている。ケーシング３は、中空の円筒形状を有している（後述する図４参照）。ケーシング３は、第１ケーシング３ａと、第２ケーシング３ｂと、ケーシング接続部３ｃとを備えている。ケーシング３は、例えばステンレス鋼（ＳＵＳ３０４等）により形成される。
【００２５】
第１ケーシング３ａは、エアホース２に接続され、ケーシング３内に空気を導入する空気導入部４を備えている。ケーシング接続部３ｃは、第１ケーシング３ａおよび第２ケーシング３ｂにそれぞれ結合されることにより、第１ケーシング３ａと第２ケーシング３ｂとが一体となるように両者を接続する。
【００２６】
さらに、洗浄ノズル１は、回転部５および回転駆動部６を備えている。回転部５および回転駆動部６は、ケーシング３内に収容される。回転部５は、第２ケーシング３ｂに対応する位置に収容される。回転部５は、ケーシング３に対して長手方向に沿った軸線Ｓ回りに回転可能に構成されている。また、回転駆動部６は、第１ケーシング３ａに対応する位置に収容される。回転駆動部６は、回転部５を回転させるための駆動源となる。
【００２７】
回転部５は、ケーシング３（より詳しくは第２ケーシング３ｂ）の内径に対応する外径を有する円筒形状を有している。なお、ケーシング３の内径に対応する外径とは、回転部５の外径としてケーシング３の内径に対して製造誤差によるマージンを設けてケーシング３内において軸線Ｓ回りに回転可能な状態で収容可能に定めた外径ないし当該マージンに加えて回転部５の外周面とケーシング３の内周面との間に所定の間隙を設けるように定めた外径を意味する。
【００２８】
回転部５は、中空部５ａを備えている。回転部５の軸線Ｓ方向一端側面（図１における上面）には、中空部５ａ内に空気を導入する導入口５ｂが設けられる。回転部５の上面の径方向中央部には、回転駆動部６の出力軸（後述する減速機９の出力軸）９ａと接続される接続部５ｃが設けられる。導入口５ｂは、径方向に関して接続部５ｃと回転部５の側面との間に設けられる。これにより、ケーシング３内部に導入された空気を効率よく回転部５における中空部５ａに導入することができる。
【００２９】
回転部５の軸線Ｓ方向他端側面（図１における下面）は、図示しない蓋等で閉じられており、導入口５ｂから中空部５ａ内に導入された空気は、中空部５ａ内で一時貯留される。
【００３０】
さらに、回転部５の側壁には、少なくとも１つの第１貫通孔ｈ１が設けられている。本実施の形態においては、後述する図４に示すように、４つの第１貫通孔ｈ１が回転部５に設けられている。これらの第１貫通孔ｈ１は、軸線Ｓに直交する複数の方向、すなわち、回転部５の外周面において周方向の複数位置にそれぞれ形成される。これにより、中空部５ａ内に貯留された空気は、これらの第１貫通孔ｈ１から排出可能となっている。これらの第１貫通孔ｈ１は、回転部５の周方向に均等に設けられている。
【００３１】
ケーシング接続部３ｃは、ケーシング３（第２ケーシング３ｂ）内に回転部５を保持するとともに、回転部５の軸線Ｓ回りの回転をガイドするガイド部材（カラー）としても機能する。これにより、回転部５は、ケーシング３に対する軸線Ｓ方向の相対位置が一意に定められる。
【００３２】
ケーシング３は、軸線Ｓ方向に関して第１貫通孔ｈ１の位置に対応する位置に形成された複数の第２貫通孔ｈ２を備えている。上述の通り、本実施の形態において、回転部５は、第２ケーシング３ｂ内に収容されるため、複数の第２貫通孔ｈ２は、第２ケーシング３ｂの側面に設けられる。本実施の形態においては、後述する図４に示すように、１６個の第２貫通孔ｈ２が第２ケーシング３ｂに設けられている。これらの第２貫通孔ｈ２は、第２ケーシング３ｂの周方向に均等に設けられている。
【００３３】
上記構成によれば、回転駆動部６の駆動力により、回転部５が軸線Ｓ回りに回転する。図４および図５は、図１に示す洗浄ノズルにおいて第１貫通孔と第２貫通孔との相対位置変化を示す図である。図４および図５においては、第２ケーシング３ｂおよび回転部５を、軸線Ｓ方向においてケーシング接続部３ｃ側から見たときの図を示している。
【００３４】
回転部５が軸線Ｓ回りに回転することにより、回転部５の第１貫通孔ｈ１とケーシング３の第２貫通孔ｈ２とが連通する位置に位置する状態（図４に示す状態）と、第１貫通孔ｈ１と第２貫通孔ｈ２とが連通しない位置に位置する状態（図５に示す状態）とが交互に生じる。第１貫通孔ｈ１と第２貫通孔ｈ２とが連通することにより、ケーシング３の長手方向一端部からケーシング３の内部に導入された空気が外部に吐出され、第１貫通孔ｈ１と第２貫通孔ｈ２とが連通しない位置に位置することにより、ケーシング３の内部に導入された空気が外部に吐出されることが抑制される。
【００３５】
したがって、ケーシング３の内部に導入された空気が外部に吐出される際に、吐出される空気の強さが脈動する（強弱の変化が繰り返される）。なお、図４および図５においては、上下左右に位置する４つの第２貫通孔ｈ２から吐出される空気の脈動をそれぞれ矢印の大きさで表している。他の位置における第２貫通孔ｈ２においても同様に空気の脈動が生じる。
【００３６】
本実施の形態においては、空気の脈動を生じさせるために、ケーシング３の内部に導入される空気自体が予め脈動している必要はない。すなわち、上述の通り、第１貫通孔ｈ１と第２貫通孔ｈ２との相対位置の変化のみにより、吐出される空気に脈動が生じる。このため、空気の脈動を生じさせるために、ケーシング３に空気を導入する際に特殊なポンプを使用する必要もない。吐出される空気の脈動により、濾布Ｃを効果的に揺らすことができ、濾布Ｃに付着した粉塵Ｄを除去する（落下させる）ことができる。
【００３７】
エアホース２を上方向または下方向に移動させて洗浄ノズル１からの空気の吐出による洗浄作業を繰り返すことにより、濾布Ｃの上下方向位置にかかわらず、むらなく粉塵の除去を行うことができる。
【００３８】
また、上記構成によれば、回転部５がケーシング３の内部に収容され、ケーシング３自体は回転しない。すなわち、回転箇所が露出していないため、洗浄ノズル１と濾布Ｃまたは濾布Ｃを支持する支持枠（リテーナ）Ｒとが接触しても濾布Ｃが損傷することを防止することができる。以上より、上記構成によれば、濾布Ｃの損傷を防止しつつ簡単な構成で高い洗浄効果を得ることができる。
【００３９】
なお、空気の脈動の大きさ（図４に示す状態と図５に示す状態との間における空気の吐出量または吐出圧の差）は、回転部５の外周面とケーシング３の内周面との間隙によって異なる。回転部５の外周面とケーシング３の内周面との間隙が小さいほど空気の脈動の大きさは大きくなり、空気の吐出量または吐出圧がよりパルス状に変化する。間隙が大きいほど空気の脈動の大きさは小さくなる。
【００４０】
上述の通り、本実施の形態において、第１貫通孔ｈ１の数は、第２貫通孔ｈ２の数より少なくなっている。第１貫通孔ｈ１の数を減らすことにより、ケーシング３内および回転部５の中空部５ａに導入された空気の圧力の減少を抑制することができる。さらに、第２貫通孔ｈ２の数を増やすことにより、吐出された空気が濾布Ｃに当たる単位時間当たりの面積を増やすことができる。
【００４１】
さらに、本実施の形態において、第１貫通孔ｈ１の大きさは、第２貫通孔ｈ２の大きさより大きい。これにより、吐出される空気の噴射効率を高くすることができる。
【００４２】
以下、本実施の形態における回転駆動部６の構造についてより詳細に説明する。図１〜図３に示すように、回転駆動部６は、軸線Ｓに沿って設けられた回転軸７と、回転軸７に相対回転不能に取り付けられた羽根車８と、を備えている。羽根車８は、ケーシング３の軸線Ｓ方向一端部から内部に導入された空気によって軸線Ｓ回りに回転可能に構成されている。このように、回転駆動部６は、ケーシング３の内部に導入された空気（すなわち、吐出用空気）を利用したタービンとして構成されている。
【００４３】
これによれば、ケーシング３の内部に導入された空気により、羽根車８が回転し、これに伴って回転軸７が回転する。回転軸７の回転により、回転部５が回転する。回転部５の回転に用いられた空気は、回転部５の中空部５ａに一時貯留され、第１貫通孔ｈ１および第２貫通孔ｈ２を経て外部に吐出される。したがって、別途駆動源（電源等）を用意することなく、吐出用の空気を用いて回転部５の駆動力を生じさせることができる。
【００４４】
さらに、回転駆動部６は、回転軸７の回転を回転部５に伝達する減速機９を備えている。回転軸７に固定されたピニオンギア（図示せず）により羽根車８の回転による回転動力が減速機９に入力される。減速機９は、所定のギヤセットを備えている。ケーシング接続部３ｃは、ケーシング３（第１ケーシング３ａ）内に回転駆動部６（回転軸７、羽根車８および減速機９）を保持するガイド部材（カラー）としても機能する。
【００４５】
減速機９によって設定される減速比により、羽根車８の回転による回転動力が減速されて減速機９の出力軸９ａから出力される。減速機９の出力軸９ａは、回転駆動部６の出力軸として機能する。これにより、ケーシング３の内部に空気を導入するためのコンプレッサとして、コンプレッサ圧が様々に異なる既存のコンプレッサを用いた場合でも、減速比を調整することにより、回転部５の回転速度が調整され、吐出される空気において所望の脈動周波数を容易に得ることができる。
【００４６】
図６は、本実施の形態における洗浄ノズルが適用されるバグフィルタの例を示す図である。図６に示すバグフィルタ１１は、ケーシング内部において複数の濾布Ｃが、長手方向が鉛直方向に沿うように平行に配設される第１領域１２と、第１領域１２の上方の第２領域１３とを備えている。第１領域１２と第２領域１３とは、濾布Ｃの直径に応じた複数の開口部１４によって連通されている。複数の開口部１４に、複数の濾布Ｃの上端部が取り付けられる。より詳しくは、複数の濾布Ｃは、金属性の支持枠Ｒにより複数の開口部１４をそれぞれ覆うように吊り下げられる。濾布Ｃは、織布または不織布により円筒状に形成され、除去対象の粉塵よりも目が細かくなっている。濾布Ｃは例えば、内径１５〜１６ｃｍ程度の円筒状形状を有しており、第１領域１２には、約４００〜５００本の濾布Ｃが２次元的に配設される。
【００４７】
バグフィルタ１１は、第１領域１２に処理対象のガス（粉塵を含むガス）を導入する導入口１５と、第２領域１３のガス（処理後ガス）を外部に排出するための排出口１６とを備えている。排出口１６には、誘引ファン１７が接続されている。バグフィルタ１１は、誘引ファン１７が駆動することにより、導入口１５から処理対象のガスを引き込み、第１領域１２および第２領域１３を経て排出口１６から外部へ処理後ガスを排出するように構成されている。
【００４８】
この際、第１領域１２と第２領域１３とを連通する複数の開口部１４には複数の濾布Ｃが設けられているため、誘引ファン１７によるガスの流れにより、複数の濾布Ｃの外側から内側へガスが引き込まれ、その際にガスに含まれている粉塵が濾布Ｃの外表面に付着（残留）することにより除去される。濾布Ｃの外表面に付着した粉塵は、自然落下または払い落とし機構１８による逆気流により第１領域１２の下方に落下し、図示しないロータリバルブ等を介してダスト排出口１９から排出される。
【００４９】
払い落とし機構１８は、圧縮空気を外部から第２領域１３内に導入し、濾布Ｃの内側から外側へ向かう空気の流れ（逆気流）を生じさせることにより、濾布Ｃの外表面に付着した粉塵を払い落とす。このため、払い落とし機構１８は、例えば、複数の開口部１４の上方に空気の噴射ノズル２０を備えている。通常、払い落とし機構１８による払い落とし作業は、所定の期間ごとに定期的に行われる、または、第１領域１２と排出口１６との間の圧力差が大きくなった場合に行われる。
【００５０】
バグフィルタ１１が設けられる施設は、払い落とし機構１８における圧縮空気の供給源として所定のコンプレッサ２１を備えている。コンプレッサ２１は、複数設けられていてもよい。コンプレッサ２１で圧縮された空気は空気だめ２２に一時貯留される。払い落とし機構１８を稼働させる際には、分岐バルブ２３を開くことにより、空気だめ２２に貯留されていた圧縮空気が払い落とし機構１８用のレシーバタンク２４に貯留される。さらに、レシーバタンク２４の下流側に設けられたパイロットバルブ２５を開くことにより、払い落とし機構１８に圧縮空気が導入され、噴射ノズル２０から吐出される。
【００５１】
このようなバグフィルタ１１において濾布Ｃにおける粉塵除去の効率を高めるために、本実施の形態における洗浄ノズル１を用いた洗浄作業が適用される。洗浄ノズル１に接続されるエアホース２は、パイロットバルブ２６を介して洗浄ノズル１用のレシーバタンク２７に接続されている。図６の例では、２つのエアホース２の先端にそれぞれ洗浄ノズル１が取り付けられている。エアホース２および洗浄ノズル１の数は、１つでも３つ以上でもよく、適宜選択される。レシーバタンク２７の上流側は、分岐バルブ２９を介して上記空気だめ２２に接続されている。分岐バルブ２９とレシーバタンク２７との間には導入する空気圧を一定にするレギュレータ２８が設けられている。
【００５２】
このような構成において、分岐バルブ２９より上流側は、既存の施設に予め備えられている設備である。
【００５３】
洗浄ノズル１を用いた洗浄作業を行う際には、分岐バルブ２９を開くことにより、空気だめ２２に貯留されていた圧縮空気がレギュレータ２８により所定の空気圧に保持された状態でレシーバタンク２７に貯留される。さらに、レシーバタンク２７の下流側に設けられたパイロットバルブ２６を開くことにより、エアホース２を介して洗浄ノズル１に圧縮空気が導入され、第２貫通孔ｈ２から脈動を生じた空気が吐出される。
【００５４】
上述したように、洗浄ノズル１は、ステンレス等の金属で形成される。一方、濾布Ｃの内部には濾布Ｃを支持するための金属製の支持枠Ｒが設けられている。このため、上記特許文献１〜３における構造のように、洗浄ノズルの少なくとも一部が回転していると、洗浄ノズルの回転部と支持枠Ｒとが接触し、火花が出る可能性がある。この際、濾布Ｃには粉塵が付着しているため、火花から粉塵に引火し、粉塵爆発が生じるおそれがある。これに対して、本実施の形態における洗浄ノズル１によれば、回転部５がケーシング３の内部に収容され、ケーシング３自体は回転しない。このため、洗浄ノズル１と支持枠Ｒとが接触しても火花が出ることを抑制することができ、より安全に洗浄作業を行うことができる。
【００５５】
また、バグフィルタ１１の濾布Ｃは、上下方向に設置されているため、洗浄ノズル１を上方から濾布Ｃの内部（内側）へ降ろして洗浄作業を行う。この場合、ケーシング３の内部に収容された回転部５の回転によりジャイロ効果が生じるため、洗浄ノズル１が濾布Ｃ内部でふらつくことが防止される。これにより、濾布Ｃへの接触による濾布Ｃの損傷および粉塵爆発の発生を防止することができる。
【００５６】
本実施の形態における洗浄ノズル１を用いた洗浄作業を行う結果、濾布Ｃの寿命（交換間隔）を長くすることができる。また、バグフィルタ１１に設けられる払い落とし機構１８による払い落としの実行頻度を低減することができる。また、バグフィルタ１１内に作業員が入って清掃作業を行う頻度を低減することができる。
【００５７】
以上、本発明の実施の形態について説明したが、本発明は上記実施の形態に限定されるものではなく、その趣旨を逸脱しない範囲内で種々の改良、変更、修正が可能である。
【００５８】
例えば、上記実施の形態では、洗浄の対象物としてバグフィルタ１１の濾布Ｃを例示したが、上記実施の形態における洗浄ノズル１は、バグフィルタ以外の洗浄作業にも適用可能である。例えば、焼却炉の高温の排ガスの熱を回収するための装置（例えば空気加熱器、廃熱ボイラ等）には、複数のパイプが配列され、パイプ間の間隔は狭小（例えば約５ｃｍ）となる。このようなパイプの表面（パイプ間）に粉塵が付着する。このような場所においても、上記実施の形態における洗浄ノズル１をパイプ間に差し入れて洗浄することにより、上記実施の形態と同様の効果を得ることができる。その他、特に、人の手が入り難い、または、ブラシ等の洗浄道具を動かすことが難しい、狭小部の洗浄に上記実施の形態における洗浄ノズル１を好適に適用可能である。
【００５９】
また、上記実施の形態において、回転駆動部６は、ケーシング３に導入される空気（すなわち、吐出用空気）を利用したタービンとして構成される例を示したが、回転駆動部６は回転部５を軸線Ｓ回りに回転駆動可能な構成であれば、これに限られない。例えば、回転駆動部６として電動モータを適用してもよい。
【００６０】
また、上記実施の形態においては、回転駆動部６の回転軸７が回転部５の回転中心となる軸線Ｓに同軸配置されているが、回転軸７は、軸線Ｓに同軸に配置されていなくてもよい。
【００６１】
また、上記実施の形態においては、回転駆動部６に減速機９が設けられる構成を例示したが、減速機９はなくてもよい。この場合、回転部５の接続部５ｃには、回転軸７が直接接続されてもよい。
【００６２】
また、上記実施の形態においては、ケーシング３が円筒形状を有しているが、ケーシング３の外周面の軸線Ｓに垂直な断面形状は、例えば多角形等の円以外の形状を有していてもよい。また、ケーシング３の内周面および／または回転部５の外周面の軸線Ｓに垂直な断面形状は、第１貫通孔ｈ１と第２貫通孔ｈ２との位置関係に応じた空気の脈動が生じる限り、円以外の形状を有していてもよい。
【００６３】
また、第１貫通孔ｈ１および第２貫通孔ｈ２の数、大きさは、上記実施の形態に限られず、種々設定され得る。
【産業上の利用可能性】
【００６４】
本発明は、接触による損傷を防止しつつ簡単な構成で高い洗浄効果を得るために有用である。
【符号の説明】
【００６５】
１  洗浄ノズル
３  ケーシング
５  回転部
５ａ  中空部
５ｂ  導入口
５ｃ  接続部
６  回転駆動部
７  回転軸
８  羽根車
９  減速機
１１  バグフィルタ
Ｃ  濾布
ｈ１  第１貫通孔
ｈ２  第２貫通孔
【図１】
2020199482.tif 000003
【図２】
2020199482.tif 000004
【図３】
2020199482.tif 000005
【図４】
2020199482.tif 000006
【図５】
2020199482.tif 000007
【図６】
2020199482.tif 000008